(57)【要約】【課題】作成した掲示板のテキストのなかで閲覧可能範囲を任意に指定可能にする。【解決手段】  複数のユーザ端末３（入力端末３ａ、閲覧端末３ｂ）が接続された掲示板サーバ２において、入力端末３ａから入力された、テキスト１１のなかの閲覧可能範囲、閲覧許可者を含む閲覧条件２３、の指定する閲覧許可者のユーザ端末（閲覧端末３ｂ）へ閲覧条件２３を閲覧キー３０として送信する。さらに、入力端末３ａから入力されたテキスト１１を閲覧キー３０を付してテキスト保管ファイル７に記憶する。また、閲覧端末３ｂから入力した閲覧要求に含まれる閲覧キー３０とテキスト保管ファイル７に記憶した閲覧キー３０とを照合する。この照合結果に基づいて、テキスト保管ファイル７から閲覧可能範囲のテキスト４６を読出して閲覧端末３ｂへ送信する。【選択図】      図２
2007072698.tif 000002
【特許請求の範囲】
【請求項１】
通信回線で互いに接続された掲示板サーバと複数のユーザ端末とで構成され、入力端末に指定されたユーザ端末で作成された掲示板のテキストを前記掲示板サーバで記憶保持するとともに、閲覧端末に指定されたユーザ端末からの閲覧要求に応じて前記掲示板サーバに記憶保持した掲示板のテキストを閲覧要求元の閲覧端末へ送信して閲覧させる掲示板システムにおいて、
前記入力端末は、少なくとも前記作成したテキストのなかの閲覧可能範囲、閲覧許可者を含む閲覧条件を設定する閲覧条件設定手段と、前記設定された閲覧条件および前記作成されたテキストを前記掲示板サーバへ送信する送信手段とを有し、
前記掲示板サーバは、前記入力端末から入力された閲覧条件の指定する閲覧許可者のユーザ端末へ前記閲覧条件を閲覧キーとして送信する送信手段と、前記入力端末から入力されたテキストを前記閲覧キーを付してテキスト保管ファイルに記憶する記憶処理手段と、前記閲覧端末から入力した閲覧キーと前記テキスト保管ファイルに記憶した閲覧キーとを照合する照合手段と、この照合手段の照合結果に基づいて、前記テキスト保管ファイルから閲覧可能範囲のテキストを読出して前記閲覧端末へ送信する送信手段とを有し、
前記閲覧端末は、前記掲示板サーバから送信された閲覧キーを閲覧要求として前記掲示板サーバへ送信する送信手段と、前記掲示板サーバから入力された閲覧可能範囲のテキストを出力する出力手段とを有する
ことを特徴とする掲示板システム。
【請求項２】
前記各ユーザ端末はそれぞれ固有キーを有し、
前記掲示板サーバは、前記閲覧キーと閲覧許可者の固有キーとを含む組合せキーを作成する組合せキー作成手段と、前記閲覧端末から送信された閲覧キーと前記閲覧端末の固有キーとを含む組合せキーを再生する組合せキー再生手段とを有し、
前記記憶処理手段は、前記入力されたテキストを前記組合せキーを付してテキスト保管ファイルに記憶し、
前記照合手段は、前記再生された組合せキーの閲覧キーと前記テキスト保管ファイルに記憶した閲覧キーとを照合する
ことを特徴とする請求項１記載の掲示板システム。
【請求項３】
前記閲覧条件は、少なくとも前記作成したテキストのなかの閲覧可能範囲、閲覧回数、閲覧許可者を含み、
前記掲示板サーバは、前記閲覧端末へ閲覧可能範囲のテキストの送信後に、前記再生された組合せキーの閲覧キーを更新する組合せキー更新手段と、この更新された閲覧キーを前記閲覧許可者のユーザ端末へ送信する送信手段とを有し、
前記記憶処理手段は、前記入力されたテキストを前記更新された組合せキーを付してテキスト保管ファイルに記憶する
ことを特徴とする請求項２記載の掲示板システム。
【請求項４】
前記各ユーザ端末は前記掲示板サーバから配信されたそれぞれ固有キーを有し、
前記各ユーザ端末と前記掲示板サーバとの間で送受信されるテキストは送信又は受信されるユーザ端末の固有キーを用いて暗号化される
ことを特徴とする請求項１から３のいずれかｌ項記載の掲示板システム。
【請求項５】
通信回線を介して複数のユーザ端末が接続され、入力端末に指定されたユーザ端末で作成された掲示板のテキストを記憶保持するとともに、閲覧端末に指定されたユーザ端末からの閲覧要求に応じて前記記憶保持した掲示板のテキストを閲覧要求元の閲覧端末へ送信して閲覧させる掲示板サーバにおいて、
前記入力端末から入力された、少なくとも前記作成したテキストのなかの閲覧可能範囲、閲覧許可者を含む閲覧条件、の指定する閲覧許可者のユーザ端末へ前記閲覧条件を閲覧キーとして送信する送信手段と、
前記入力端末から入力されたテキストを前記閲覧キーを付してテキスト保管ファイルに記憶する記憶処理手段と、
前記閲覧端末から入力した閲覧要求に含まれる閲覧キーと前記テキスト保管ファイルに記憶した閲覧キーとを照合する照合手段と、
この照合手段の照合結果に基づいて、前記テキスト保管ファイルから閲覧可能範囲のテキストを読出して前記閲覧端末へ送信する送信手段と
を備えたことを特徴とする掲示板サーバ。
【請求項６】
通信回線を介して複数のユーザ端末が接続され、入力端末に指定されたユーザ端末で作成された掲示板のテキストを記憶保持するとともに、閲覧端末に指定されたユーザ端末からの閲覧要求に応じて前記記憶保持した掲示板のテキストを閲覧要求元の閲覧端末へ送信して閲覧させる掲示板の閲覧制御方法において、
前記入力端末から入力された、少なくとも前記作成したテキストのなかの閲覧可能範囲、閲覧許可者を含む閲覧条件、の指定する閲覧許可者のユーザ端末へ前記閲覧条件を閲覧キーとして送信する送信工程と、
前記入力端末から入力されたテキストを前記閲覧キーを付してテキスト保管ファイルに記憶する記憶処理工程と、
前記閲覧端末から入力した閲覧要求に含まれる閲覧キーと前記テキスト保管ファイルに記憶した閲覧キーとを照合する照合工程と、
この照合工程の照合結果に基づいて、前記テキスト保管ファイルから閲覧可能範囲のテキストを読出して前記閲覧端末へ送信する送信工程と
を備えたことを特徴とする掲示板の閲覧制御方法。
【発明の詳細な説明】
【技術分野】
【０００１】
本発明は、各ユーザ端末で作成された掲示板のテキストを掲示板サーバに記憶保持するとともに、各ユーザ端末からの閲覧要求に応じて記憶保持した掲示板のテキストを閲覧要求元のユーザ端末へ送信して閲覧させる掲示板システム、この掲示板システムに組込まれた掲示板サーバ、および掲示板の閲覧制御方法に関する。
【背景技術】
【０００２】
インターネットやＬＡＮ等のネットワーク上に掲示板を開設して、不特定多数の人に掲示板を閲覧可能としたり、許可された人のみに掲示板を閲覧可能とすることは、従来から実施されていた。
【０００３】
特に、許可された人のみに掲示板を閲覧可能とする技術の一例が特許文献１に開示されている。この例においては、データ提供者が指定した閲覧者と閲覧対象のデータとを対応付けた情報をデータベースへ登録し、端末からネットワークを介して、閲覧要求が入力すると、データベースに閲覧者と登録されていた場合のみ、閲覧対象のデータを閲覧可能となる。
【特許文献１】特開２００５―７８５１７号公報
【発明の開示】
【発明が解決しようとする課題】
【０００４】
しかしながら、上述した技術においては、データ提供者が作成した閲覧対象のデータ全体に対して閲覧者（閲覧許可者）が設定されている。したがって、データ提供者が長文のテキストデータを作成して、この長文のテキストデータをネットワーク上の掲示板に掲載するに際して、その長文のテキストデータの一部のみを特定の閲覧者に対してのみ、閲覧可能とすることはできなかった。
【０００５】
さらに、長文のテキストデータを複数に分割して、分割されたテキストデータの各範囲に対して個別に閲覧可能者を割付けることができなかった。
【０００６】
また、掲示板に掲載するテキストデータのなかには、閲覧期間、閲覧回数、印刷可否等を制限するのが好ましい場合もある。しかし、上述した技術においては、閲覧者はデータベースに登録されている限り、閲覧対象のテキストデータを無条件で閲覧できるので、閲覧制御を要求に応じて、詳細に設定できない問題があった。
【０００７】
本発明はこのような事情に鑑みてなされたものであり、作成した掲示板のテキストのなかで閲覧可能範囲を任意に指定して、この閲覧可能範囲と閲覧許可者を含む閲覧条件を指定可能となり、掲示板のテキスト作成者にとって、目的とするテキストを目的とする閲覧者に簡単に提供でき、かつその時の閲覧条件も任意に指定でき、テキストの提供者及び閲覧者の両方にとって、使い勝手を向上できる掲示板システム、この掲示板システムに組込まれた掲示板サーバ、および掲示板の閲覧制御方法を提供することを目的とする。
【課題を解決するための手段】
【０００８】
上記課題を解消するために、本発明は、通信回線で互いに接続された掲示板サーバと複数のユーザ端末とで構成され、入力端末に指定されたユーザ端末で作成された掲示板のテキストを掲示板サーバで記憶保持するとともに、閲覧端末に指定されたユーザ端末からの閲覧要求に応じて掲示板サーバに記憶保持した掲示板のテキストを閲覧要求元の閲覧端末へ送信して閲覧させる掲示板システムにおいて、
入力端末は、少なくとも作成したテキストのなかの閲覧可能範囲、閲覧許可者を含む閲覧条件を設定する閲覧条件設定手段と、設定された閲覧条件および作成されたテキストを掲示板サーバへ送信する送信手段とを有する。
【０００９】
掲示板サーバは、入力端末から入力された閲覧条件の指定する閲覧許可者のユーザ端末へ閲覧条件を閲覧キーとして送信する送信手段と、入力端末から入力されたテキストを閲覧キーを付してテキスト保管ファイルに記憶する記憶処理手段と、閲覧端末から入力した閲覧キーとテキスト保管ファイルに記憶した閲覧キーとを照合する照合手段と、この照合手段の照合結果に基づいて、テキスト保管ファイルから閲覧可能範囲のテキストを読出して閲覧端末へ送信する送信手段とを有する。
【００１０】
さらに、閲覧端末は、掲示板サーバから送信された閲覧キーを閲覧要求として掲示板サーバへ送信する送信手段と、掲示板サーバから入力した閲覧可能範囲のテキストを出力する出力手段とを有する。
【００１１】
このように構成された掲示板システムにおいては、複数のユーザ端末のうちユーザにて入力端末と指定されたユーザ端末（入力端末）の操作者（入力者）は、先ず、入力端末を操作して掲示板のテキストを作成する。その後、操作者（入力者）は、作成したテキストのなかの閲覧可能範囲、閲覧許可者を含む閲覧条件を設定する。すると、閲覧条件およびテキストが掲示板サーバへ送信される。
【００１２】
掲示板サーバは、受信した閲覧条件を閲覧キーとして閲覧許可者のユーザ端末へ送信する。さらに、入力されたテキストを閲覧キーを付してテキスト保管ファイルに記憶する。閲覧者は、閲覧端末を操作して、掲示板サーバから入力した閲覧キーを閲覧要求として掲示板サーバへ送信する。
【００１３】
すると、掲示板サーバは、閲覧端末から入力した閲覧キーとテキスト保管ファイルに記憶した閲覧キーとを照合し、照合結果が良好の場合は、テキスト保管ファイルから閲覧可能範囲のテキストを読出して閲覧端末へ送信する。閲覧端末は、閲覧可能範囲のテキストを出力する。
【００１４】
したがって、掲示板のテキスト作成者にとって、目的とするテキストを目的とする閲覧者に簡単に提供でき、かつその時の閲覧条件も任意に指定できる。
【００１５】
また、別の発明は、上述した発明の掲示板システムにおいて、各ユーザ端末はそれぞれ固有キーを有し、掲示板サーバは、閲覧キーと閲覧許可者の固有キーとを含む組合せキーを作成する組合せキー作成手段と、閲覧端末から送信された閲覧キーと閲覧端末の固有キーとを含む組合せキーを再生する組合せキー再生手段とを有する。さらに、記憶処理手段は入力されたテキストを組合せキーを付してテキスト保管ファイルに記憶し、照合手段は、再生された組合せキーの閲覧キーとテキスト保管ファイルに記憶した閲覧キーとを照合する。
【００１６】
このように構成された掲示板システムにおいてにおいては、掲示板サーバにおいて、閲覧キーと閲覧許可者の固有キーとを含む組合せキーが作成されて、入力されたテキストはこの組合せキーが付されテキスト保管ファイルに格納される。さらに、閲覧端末から入力した閲覧キーと閲覧端末の固有キーとを含む組合せキーが再生される。したがって、組合せキーどうしが照合されるので、作成されたテキストに対してより高度なセキュリティを確保できる。
【００１７】
また、別の発明は、上述した発明の掲示板システムにおいて、閲覧条件は、少なくとも作成したテキストのなかの閲覧可能範囲、閲覧回数、閲覧許可者を含む。掲示板サーバは、閲覧端末へ閲覧可能範囲のテキストの送信後に、再生された組合せキーの閲覧キーを更新する組合せキー更新手段と、この更新された閲覧キーを閲覧許可者のユーザ端末へ送信する送信手段とを有する。記憶処理手段は、入力されたテキストを更新された組合せキーを付してテキスト保管ファイルに記憶する。
【００１８】
このように構成された掲示板システムにおいては、閲覧条件のなかに閲覧回数が含まれるので、閲覧を許可された閲覧者が、自己に指定されたテキストを閲覧する毎に、閲覧回数が減算更新されるので、閲覧者は閲覧条件に指定された閲覧回数を超えてテキストを閲覧することができない。
【００１９】
また、別の発明は、上述した発明の掲示板システムにおいて、各ユーザ端末は掲示板サーバから配信されたそれぞれ固有キーを有し、各ユーザ端末と掲示板サーバとの間で送受信されるテキストは送信又は受信されるユーザ端末の固有キーを用いて暗号化される。
【００２０】
このように構成された掲示板システムにおいては、各ユーザ端末と掲示板サーバとの間で送受信されるテキストは暗号化されるので、送受信されるテキストのセキュリティが向上する。この場合、送受信される各テキストは、送信又は受信されるユーザ端末の固有キーを用いて暗号化されるので、より一層、テキストのセキュリティが向上する。
【００２１】
また、別の発明は掲示板システムに組込まれた掲示板サーバである。すなわち、通信回線を介して複数のユーザ端末が接続され、入力端末に指定されたユーザ端末で作成された掲示板のテキストを記憶保持するとともに、閲覧端末に指定されたユーザ端末からの閲覧要求に応じて記憶保持した掲示板のテキストを閲覧要求元の閲覧端末へ送信して閲覧させる掲示板サーバにおいて、
入力端末から入力された、少なくとも作成したテキストのなかの閲覧可能範囲、閲覧許可者を含む閲覧条件、の指定する閲覧許可者のユーザ端末へ閲覧条件を閲覧キーとして送信する送信手段と、入力端末から入力されたテキストを閲覧キーを付してテキスト保管ファイルに記憶する記憶処理手段と、閲覧端末から入力した閲覧要求に含まれる閲覧キーと前記テキスト保管ファイルに記憶した閲覧キーとを照合する照合手段と、この照合手段の照合結果に基づいて、テキスト保管ファイルから閲覧可能範囲のテキストを読出して閲覧端末へ送信する送信手段と備えている。
【００２２】
このように構成された掲示板サーバにおいても、入力端末を操作する掲示板のテキスト作成者にとって、目的とするテキストを目的とする閲覧者に簡単に提供でき、かつその時の閲覧条件も任意に指定できる。したがって、前述した掲示板システムとほぼ同じ作用効果を奏することができる。
【００２３】
また、別の発明は掲示板の閲覧制御方法である。すなわち、通信回線を介して複数のユーザ端末が接続され、入力端末に指定されたユーザ端末で作成された掲示板のテキストを記憶保持するとともに、閲覧端末に指定されたユーザ端末からの閲覧要求に応じて記憶保持した掲示板のテキストを閲覧要求元の閲覧端末へ送信して閲覧させる掲示板の閲覧制御方法において、
入力端末から入力された、少なくとも作成したテキストのなかの閲覧可能範囲、閲覧許可者を含む閲覧条件、の指定する閲覧許可者のユーザ端末へ閲覧条件を閲覧キーとして送信する送信工程と、入力端末から入力されたテキストを閲覧キーを付してテキスト保管ファイルに記憶する記憶処理工程と、閲覧端末から入力した閲覧要求に含まれる閲覧キーとテキスト保管ファイルに記憶した閲覧キーとを照合する照合工程と、照合工程の照合結果に基づいて、前記テキスト保管ファイルから閲覧可能範囲のテキストを読出して閲覧端末へ送信する送信工程とを備えている。
【００２４】
このように構成された掲示板サーバにおいても、前述した掲示板システムとほぼ同じ作用効果を奏することができる。
【発明の効果】
【００２５】
本発明においては、入力端末において作成した掲示板のテキストのなかで閲覧可能範囲と当該閲覧可能範囲の閲覧許可者を含む閲覧条件を指定するようにしている。
【００２６】
したがって、掲示板のテキスト作成者にとって、目的とするテキストを目的とする閲覧者に簡単に提供でき、かつその時の閲覧条件も任意に指定でき、テキストの提供者及び閲覧者の両方にとって、使い勝手を向上できる。
【発明を実施するための最良の形態】
【００２７】
以下、本発明の一実施形態を図面を用いて説明する。
【００２８】
図１は本発明の一実施形態に係わる掲示板の閲覧制御方法が適用される掲示板サーバが組込まれた掲示板システムの概略構成を示す模式図である。この掲示板システムは、例えば、通信回線としてのＬＡＮ１で互いに接続された１台の掲示板サーバ２と複数台のユーザ端末３とで構成されている。各ユーザ端末３は、このユーザ端末３のユーザ（操作者）が掲示板のテキストを作成する掲示板作成モードと、このユーザ端末３のユーザ（操作者）が掲示板のテキストを閲覧する掲示板閲覧モードとの２つの業務モードとを有し、掲示板作成モード時には「入力端末３ａ」として動作し、掲示板閲覧モードには「閲覧端末３ｂ」として動作する。
【００２９】
図２は、例えばコンピュータで構成された掲示板サーバ２の概略構成を示すブロック図である。この掲示板サーバ２内には、ＬＡＮ１を介して各ユーザ端末３（入力端末３ａ、閲覧端末３ｂ）と各種の情報交換を行う通信部４、固有キー管理テーブル５、掲示板使用者テーブル６、テキスト保管ファイル７が設けられている。
【００３０】
固有キー管理テーブル５内には、図３に示すように、各ユーザ端末３を操作するユーザのユーザ名（Ａ、Ｂ、Ｃ、…、Ｚ）と、該当ユーザに設定された固有キー８との関係が記憶されている。この固有キー管理テーブル５内に設定された各固有キー８は、固有キー管理部９にて、通信部４およびＬＡＮ１を介して各ユーザのユーザ端末３に配信される。
【００３１】
掲示板使用者テーブル６内には、図４に示すように、各ユーザ（Ａ、Ｂ、Ｃ、…、Ｚ）の会社内部の組織等の所属、連絡先等の個人情報等が記憶されている。
【００３２】
テキスト保管ファイル７内には、図６に示すように、組合せキー１０が付加された状態の複数のテキスト１１が記憶されている。
【００３３】
図７は、例えばコンピュータで構成された各ユーザ端末３（入力端末３ａ、閲覧端末３ｂ）の概略構成を示すブロック図である。このユーザ端末３内には、図１の掲示板サーバ２とＬＡＮ１を介して各種の情報交換を行う通信部１２、固有キー入力部１３を介して入力された掲示板サーバ２から自己に対して割振られた固有キー８を記憶保持する固有キーメモリ１４、掲示板作成画面メモリ１５、表示部１６、操作部１７、閲覧キーメモリ１８が設けられている。
【００３４】
掲示板作成画面メモリ１５には、表示部１６に表示する図８（ａ）に示すテキスト１１のフォーマット１９を有する掲示板作成画面が記憶されている。フォーマット１９には、それぞれ、一定文字数（単位文字数）が含まれる所定行数の文字範囲を有する複数のカラム２０が形成されている。ユーザ（入力者）は、１つのカラム２０、又は複数のカラム２０に亘って、カラム２０単位で、題目と本文（文書）との１単位文書（１メッセージ）を書込む。すなわち、掲示板のテキスト１１は、カラム２０単位で閲覧可能範囲を指定できる。すなわち、１文書（１メッセージ）単位、以外にも、１単位文書内のカラム２０単位、複数文書（複数メッセージ）単位で閲覧可能範囲を指定できる。また、ユーザ（入力者）は、閲覧可能範囲の指定を行う際に、掲示板に書き込んだ文字の中において１文字単位で指定することも可能である。この場合には、一つのカラム２０は一文字になる。
【００３５】
さらに、掲示板作成画面メモリ１５には、図９（ａ）に示す閲覧許可者設定画面２１、および、図９（ｂ）に示す閲覧条件設定画面２２が記憶されている。閲覧許可者設定画面２１は、掲示板サーバ２から送信されてきた掲示板使用者テーブル６の閲覧許可候補者のリストである。
【００３６】
テキスト１１を作成したユーザ（入力者）は、表示部１６に表示された閲覧条件設定画面２２の表示画面上で、閲覧許可者設定画面２１にて指定された閲覧許可者（例えばＢ  第一部）２３ａと、閲覧可否、閲覧期間、閲覧回数、閲覧可能範囲、印刷可否、記憶部に対する保存可否等の各選択値２３ｂとからなる閲覧条件２３を設定可能である。
【００３７】
この場合、閲覧許可者毎に個別の閲覧条件２３を設定可能である。したがって、１つのテキスト１１に対して、複数の閲覧条件２３を設定可能である。
【００３８】
次に、ユーザ端末３における掲示板のテキスト作成、閲覧条件設定の処理、および掲示板サーバ２のテキスト１１の記憶処理、ユーザ端末３における掲示板のテキストの閲覧処理を順番に説明していく。
【００３９】
図７のユーザ端末３（入力端末３ａ）のテキスト作成部２４は、表示部１６に図８（ａ）に示すフォーマット１９を有する掲示板作成画面を表示してユーザ（入力者）がフォーマット１９上で作成した図８（ｂ）に示すテキスト１１を、「開示先設定」のボタン操作に応じて閲覧条件送信部２６へ送出するとともに「入力完了」のボタン操作に応じてテキスト送信部２７へ送出する。
【００４０】
閲覧条件作成部２５は、表示部１６に図９（ａ）、（ｂ）に示す閲覧許可者設定画面２１、閲覧条件設定画面２２を表示して、ユーザ（入力者）が閲覧条件設定画面２２で作成した閲覧条件２３を「設定」ボタン操作に応じて閲覧条件送信部２６へ送信する。閲覧条件送信部２６は、閲覧条件２３に掲示板Ｎｏを付して、通信部１２を介して掲示板サーバ２へ送信する。
【００４１】
テキスト送信部２７は作成されたテキスト１１を固有キーメモリ１４に記憶されている自己の固有キー８で暗号化して、通信部１２を介して掲示板サーバ２へ送信する。
【００４２】
図２の掲示板サーバ２の閲覧条件入力部２８は、ユーザ端末３から通信部４へ入力された掲示板Ｎｏが付された閲覧条件２３を閲覧キー生成部２９へ送出する。閲覧キー生成部２９は、図５に示すように、掲示板Ｎｏが付された閲覧条件２３を新たに閲覧キー３０と定義して、この作成した閲覧キー３０を組合せキー作成部３１および閲覧キー送信部３２へ送出する。閲覧キー送信部３２は、閲覧条件２３に含まれる閲覧許可者のユーザ端末３を固有キー管理テーブル５、掲示板使用者テーブル６から検索して、当該閲覧許可者のユーザ端末３（閲覧端末３ｂ）へ閲覧キー３０を通信部４を介して送信する。
【００４３】
組合せキー作成部３１は、閲覧条件２３に含まれる閲覧許可者の固有キー８を固有キー管理テーブル５、掲示板使用者テーブル６から検索して、図５に示すように、閲覧キー３０と閲覧許可者キー（閲覧許可者に固有のキー８）とを組み合わせた組合せキー１０を作成して、組合せキー付加部３３へ送出する。
【００４４】
図１０は、入力端末３ａにおいて、掲示板上に作成した１つのテキスト１１から閲覧条件設定画面２２を用いて、同一閲覧許可者２３ａに対して作成された３つの閲覧（閲覧提供）の閲覧条件２３の選択値２３ｂを含む閲覧キー３０の要部を示すデータフォーマットの一例を示す図である。
【００４５】
閲覧キー３０自体は２進数で表示されている。先頭領域に、対象テキスト１１の総カラム数、指定された閲覧（閲覧提供）の数（属性パターン数）が設定され、この先頭領域の後に、３つの選択値２３ｂが順番に設定される。各選択値２３ｂは、開始日付、終了日付、属性ビット列、カラムビット列（範囲）とからなる。
【００４６】
開始日付において、［２００５０８０１］は閲覧可能開始日付が２００５年８月１日であることを示す。終了日付において、［２００５０８３１］は閲覧可能終了日付が２００５年８月３１日であることを示す。この図１０では、［９３１１０１１１０００００１１１０００１１１１１０１１１００００００００１］の部分が組合せキー１０に相当するが、［９］［３］の部分については、この１０進数である［９］［３］を２進数に置き換えたものが実質的な組合せキー１０になる。また、開始日付の［２００５０８３１］や終了日付の［２００５０８３１］については、図１０ではそれぞれ［１］［１］となっているが、これらの部分については［２００５０８０１］と［２００５０８３１］が２進数で判別可能なビット例であれば良いものとする。
【００４７】
また、８桁の属性ビット列における先頭ビットは、印刷可・不可情報を示し、２番目ビットは文書保存可・不可情報を示す。そして、３〜８ビットは、閲覧許可回数を示す。
【００４８】
そして、９ビットからなるカラムビット列（範囲）は、当該指定された閲覧（閲覧提供）の、テキスト１１内の閲覧可能範囲を示す各カラム２０を指定する。例えば、先頭の選択値２３ｂにおいては、テキスト１１内の１番目、２番目、及び３番目の合計３つのカラム２０に亘って閲覧可能範囲が指定されていることを示す。
【００４９】
図２の掲示板サーバ２におけるテキスト入力部３４は、ユーザ端末３（入力端末３ａ）から通信部４を介して受信したテキスト１１を固有キー管理テーブル５に登録されている送信元のユーザ端末３（入力端末３ａ）の固有キー８を用いて復号化して、組合せキー付加部３３へ送出する。組合せキー付加部３３は、復号化されたテキスト１１に組合せキー１０を付加して、図６に示すテキスト保管ファイル７に書込む。
【００５０】
次に、掲示板サーバ２から閲覧キー３０を受信した閲覧許可者の図７のユーザ端末３（閲覧端末３ｂ）における閲覧キー入力部３２ａは、受信した閲覧キー３０を一旦閲覧キーメモリ１８へ記憶保持する。そして、閲覧指示入力部３５は、操作者（閲覧者）の操作部１７の下で閲覧対象を指定した閲覧操作が実施されると、閲覧キー送信部３６が閲覧キーメモリ１８に記憶されている当該閲覧対象の閲覧キー３０を読出して通信部１２を介して、掲示板サーバ２へ送信する。その後、閲覧キー送信部３６は、閲覧キーメモリ１８の該当閲覧キー３０を削除する。
【００５１】
図２の掲示板サーバ２の閲覧キー入力部３７は、ユーザ端末３（閲覧端末３ｂ）から通信部４へ送信された閲覧キー３０を組合せキー再生部３８へ送出する。組合せキー再生部３８は、先に説明した組合せキー作成部３１と同様に、ユーザ端末３（閲覧端末３ｂ）から送信された閲覧キー３０の閲覧条件２３に含まれる閲覧許可者の固有キー８を固有キー管理テーブル５、掲示板使用者テーブル６から検索して、図５に示すように、閲覧キー３０と閲覧許可者の固有キー８とを加算した組合せキー１０を再度作成して、組合せキーチェック部３９へ送出する。
【００５２】
組合せキーチェック部３９は、今回、再生された組合せキー１０が、テキスト保管ファイル７に記憶されているテキスト１１に付加された組合せキー１０に一致することを確認する。さらに、組合せキーチェック部３９は、組合せキー１０に含まれる閲覧条件２３を検証して、この閲覧条件２３の指定する範囲（カラム）のテキスト４６の閲覧の可否を決定する。この実施形態においては、期間、回数のチェックを行う。チェック結果は組合せキー付加部４１へ送出される。
【００５３】
組合せキー更新部４０は、チェック済みの組合せキー１０の更新処理を実施する。この実施形態においては、組合せキー１０に含まれる閲覧条件２３の回数が減少更新される。更新済みの組合せキー１０は組合せキー付加部４１へ送出される。組合せキー付加部４１は、テキスト保管ファイル７に記憶されているテキスト１１に付加されている組合せキー１０を更新済みの組合せキー１０に置換える。また、組合せキー付加部４１は、閲覧が許可された場合に、テキスト保管ファイル７に記憶されているテキスト１１の閲覧条件２３の指定するカラムビット列で示される閲覧可能範囲のテキスト４６をテキスト送信部４２へ送出する。
【００５４】
テキスト送信部４２は、閲覧条件２３の指定する範囲のテキスト４６を、閲覧要求元のユーザ端末３（閲覧端末３ｂ）の固有キー８で暗号化して、通信部４を介して、閲覧要求元のユーザ端末３（閲覧端末３ｂ）へ送信する。
【００５５】
さらに、組合せキー更新部４０は、更新後の組合せキー１０に含まれる閲覧キー３０を閲覧条件２３に含まれる閲覧許可者のユーザ端末３（閲覧端末３ｂ）へ通信部４を介して送信する。
【００５６】
次に、掲示板サーバ２からテキスト１１の閲覧条件２３の指定する範囲のテキスト４６を受信した閲覧許可者の図７のユーザ端末３（閲覧端末３ｂ）におけるテキスト入力部４３は、入力されたテキスト４６を固有キー管理テーブル５に登録されている送信元のユーザ端末３の固有キー８を用いて復号化して、テキスト表示部４４へ送出する。テキスト表示部４４は、図１１に示すように、入力されたテキスト４６を表示部１６に表示出力する。
【００５７】
さらに、掲示板サーバ２から閲覧キー３０を受信した閲覧許可者の図７のユーザ端末３（閲覧端末３ｂ）における更新閲覧キー入力部４５は、入力された更新済みの閲覧キー３０を閲覧キーメモリ１８に書込む。
【００５８】
図１２は、このように構成された掲示板システムの全体動作を示す、掲示板サーバ２と入力端末３ａ（ユーザ端末３）と閲覧端末３ｂ（ユーザ端末３）との間の情報交換を示すシーケンス図である。
【００５９】
掲示板サーバ２は、入力端末３ａ（ユーザ端末３）と閲覧端末３ｂ（ユーザ端末３）とにそれぞれ固有キー８を配信する（Ｓ１、Ｓ２）。入力端末３ａ（ユーザ端末３）と閲覧端末３ｂは受信した自己の固有キー８をそれぞれ固有キーメモリ１４へ記憶保持する。
【００６０】
入力端末３ａは、自己の固有キー８を付した掲示板作成要求を掲示板サーバ２へ送信する（Ｓ３）。掲示板サーバ２から許可通知が入力され（Ｓ４）、閲覧許可候補リストが入力されると（Ｓ５）、入力端末３ａは、掲示板のテキスト１１を作成するとともに、閲覧条件２３を設定する。入力端末３ａは、閲覧条件２３、テキスト１１を掲示板サーバ２へ送信する（Ｓ６、Ｓ７）。
【００６１】
掲示板サーバ２は、受信した閲覧条件２３から閲覧キー３０および組合せキー１０を作成する。さらに、テキスト１１に組合せキー１０を付加して、テキスト保管ファイル７に書込む。そして、掲示板サーバ２は、閲覧キー３０を閲覧端末３ｂ（ユーザ端末３）へ送信する（Ｓ８）。
【００６２】
閲覧端末３ｂ（ユーザ端末３）は、受信した閲覧キー３０を一旦閲覧キーメモリ１８へ記憶保持する。そして、閲覧端末３ｂ（ユーザ端末３）は、自己の固有キー８を付した掲示板閲覧要求を掲示板サーバ２へ送信する（Ｓ９）。掲示板サーバ２から許可通知が入力されると（Ｓ１０）、閲覧端末３ｂ（ユーザ端末）は、閲覧キーメモリ１８へ記憶保持している閲覧キー３０を掲示板サーバ２へ送信する（Ｓ１１）とともに、閲覧キーメモリ１８の閲覧キー３０を消去する。
【００６３】
閲覧キー３０を受信した掲示板サーバ２は、この受信した閲覧キー３０で組合せキー１０を作成し、テキスト保管ファイル７に記憶保持している組合せキー１０と照合（チェック）する。照合結果に基づいて、テキスト１１の閲覧条件２３の指定する範囲（カラム）のテキスト４６を閲覧端末３ｂ（ユーザ端末３）へ送信する（Ｓ１２）。さらに、掲示板サーバ２は、組合せキー１０を更新し、テキスト保管ファイル７に記憶されているテキスト１１に付加されている組合せキー１０を更新済みの組合せキー１０に置換える。そして、更新済みの閲覧キー３０を閲覧端末３ｂ（ユーザ端末３）へ送信する（Ｓ１３）。
【００６４】
閲覧端末３ｂ（ユーザ端末３）は、受信したテキスト１１の閲覧条件２３の指定する範囲（カラム）のテキスト４６を表示部１６へ表示するとともに、受信した更新済みの閲覧キー３０を閲覧キーメモリ１８へ書込む。
【００６５】
このように構成された掲示板システムにおいては、ＬＡＮ１に接続された複数のユーザ端末３のうちユーザにて入力端末３ａと指定されたユーザ端末３の入力者は、先ず、入力端末３ａを操作して、表示部１６に掲示板作成画面を表示して図８（ｂ）に示すテキスト１１を作成し、さらに、表示部１６に閲覧許可者設定画面２１、閲覧条件設定画面２２を表示して、閲覧許可者、閲覧可否、閲覧期間、閲覧回数、閲覧可能範囲、印刷可否、記憶部に対する保存可否の閲覧条件２３を設定することができる。
【００６６】
掲示板サーバ２は、受信した閲覧条件２３を閲覧キー３０として閲覧許可者のユーザ端末３（閲覧端末３ｂ）へ送信する。閲覧キー３０を受信した閲覧端末３ｂ（ユーザ端末３）は、この閲覧キー３０を閲覧要求として、掲示場サーバ２へ送信する。すると、掲示板サーバ２は、閲覧端末３ｂから入力した閲覧キー３０とテキスト保管ファイル７に記憶した組合せキー１０の閲覧キー３０とを照合し、照合結果において閲覧端末３ｂから入力した閲覧キー３０とテキスト保管ファイル７に記憶した組合せキー１０の閲覧キー３０とが一致している場合には、テキスト保管ファイル７から閲覧可能範囲のテキスト４６を読出して閲覧端末３ｂへ送信する。閲覧端末３ｂは、閲覧可能範囲のテキスト４６を出力する。
【００６７】
したがって、入力端末３ａ（ユーザ端末３）を操作する掲示板のテキスト作成者にとって、作成した全体にテキスト１１のうちの目的とするカラム２０のテキスト４６を目的とする閲覧者に簡単に提供でき、かつその時の閲覧条件も任意に指定できる。
【００６８】
また、閲覧条件２３のなかに閲覧回数が含まれるので、閲覧を許可された閲覧者が、自己に指定されたテキスト４６を閲覧する毎に、閲覧回数が減少更新されるので、閲覧者は閲覧条件に指定された閲覧回数を超えてテキスト４６を閲覧することができない。また、閲覧期限が切れたテキスト４６を閲覧することができない。このように、掲示板のテキスト作成者は、テキスト１１（４６）の閲覧条件２３を任意に設定できる。
【００６９】
さらに、各ユーザ端末３（入力端末３ａ、閲覧端末３ｂ）と掲示板サーバ２との間で送受信されるテキストは暗号化されるので、送受信されるテキストのセキュリティが向上する。この場合、送受信される各テキストは、送信又は受信されるユーザ端末の固有キー８を用いて暗号化されるので、より一層、テキストのセキュリティが向上する。
【図面の簡単な説明】
【００７０】
【図１】本発明の一実施形態に係わる掲示板の閲覧制御方法が適用される掲示板サーバが組込まれた掲示板システムの概略構成を示す模式図。
【図２】同実施形態の掲示板システムに組込まれた掲示板サーバの概略構成を示すブロック図。
【図３】同実施形態の掲示板システムに組込まれた掲示板サーバ内に設けられた固有キー管理テーブルの記憶内容を示す図。
【図４】同実施形態の掲示板システムに組込まれた掲示板サーバ内に設けられた掲示板使用者テーブルの記憶内容を示す図。
【図５】同実施形態の掲示板システムにおける閲覧キーと組合せキーとの関係を示す図。
【図６】同実施形態の掲示板システムに組込まれた掲示板サーバ内に設けられたテキスト保管メモリの記憶内容を示す図。
【図７】同実施形態の掲示板システムに組込まれたユーザ端末の概略構成を示すブロック図。
【図８】同実施形態の掲示板システムに組込まれたユーザ端末の表示部に表示された掲示板作成画面を示す図。
【図９】同実施形態の掲示板システムに組込まれたユーザ端末の表示部に表示された閲覧許可者設定画面および閲覧条件設定画面を示す図。
【図１０】同実施形態の掲示板システムにおける閲覧キーに含まれる閲覧条件の一例を示す図。
【図１１】同実施形態の掲示板システムに組込まれたユーザ端末の表示部に表示されたテキストを示す図。
【図１２】同実施形態の掲示板システムの全体動作を示すシーケンス図。
【符号の説明】
【００７１】
１…ＬＡＮ、２…掲示板サーバ、３…ユーザ端末、３ａ…入力端末、３ｂ…閲覧端末、４，１２…通信部、５…固有キー管理テーブル、６…掲示板利用者テーブル、７…テキスト管理ファイル、８…固有キー、１０…組合せキー、１１，４６…テキスト、１４…固有キーメモリ、１５…掲示板作成画面メモリ、１６…表示部、１７…操作部、１８…閲覧キーメモリ、１９…フォーマット、２０…カラム、２１…閲覧許可者設定画面、２２…閲覧条件設定画面、２３…閲覧条件、２４…テキスト作成部、２５…閲覧条件作成部、２６…閲覧条件送信部、２７，４２…テキスト送信部、２８…閲覧条件入力部、２９…閲覧キー作成部、３０…閲覧キー、３１…組合せキー作成部、３２，３６…閲覧キー送信部、３２ａ，３７…閲覧キー入力部、３３，４１…組合せキー付加部、３４，４３…テキスト入力部、３５…閲覧操作入力部、３８…組合せキー再生部、３９…組合せキーチェック部、４０…組合せキー更新部、４４…テキスト表示部、４５…更新閲覧キー入力部
【図１】
2007072698.tif 000003
【図２】
2007072698.tif 000004
【図３】
2007072698.tif 000005
【図４】
2007072698.tif 000006
【図５】
2007072698.tif 000007
【図６】
2007072698.tif 000008
【図７】
2007072698.tif 000009
【図８】
2007072698.tif 000010
【図９】
2007072698.tif 000011
【図１０】
2007072698.tif 000012
【図１１】
2007072698.tif 000013
【図１２】
2007072698.tif 000014